(57)【要約】【課題】出光面のうちの入光面寄りの領域に生じる得る明暗差及び色味を目立たなくさせることが可能な導光装置を提供する。【解決手段】導光装置２は、出光面３１と、出光面３１に対向する裏面３２と、出光面３１と裏面３２との間の側面の一部分からなる入光面３３と、前記側面の一部分からなり第１方向ｄ１に沿って一つの入光面３３に対向する反対面３４と、を有する導光板３０と、導光板３０の裏面３２に対向して配置された反射層２８と、を備える。導光板３０の裏面３２は、第１方向ｄ１に配列された複数の傾斜面３７を含む反射領域３２ａと、反射領域３２ａよりも入光面３３に近接した位置に設けられた光透過領域３２ｂと、を含む。光透過領域３２ｂは、入光面３３からの光を屈折して反射層２８に導き、反射層２８で反射した光のうちの少なくとも一部を透過させて出光面３１に導く。【選択図】図６
2016219388.tif 000002
【特許請求の範囲】
【請求項１】
出光面と、前記出光面に対向する裏面と、前記出光面と前記裏面との間の側面の一部分からなる少なくとも一つの入光面と、前記側面の一部分からなり第１方向に沿って一つの入光面に対向する反対面と、を有する導光板と、
前記導光板の前記裏面に対向して配置された反射層と、を備え、
前記導光板の前記裏面は、前記第１方向に配列された複数の傾斜面を含む反射領域と、前記反射領域よりも入光面に近接した位置に設けられた光透過領域と、を含み、
前記光透過領域は、前記入光面からの光を屈折して前記反射層に導き、前記反射層で反射した光のうちの少なくとも一部を透過させて前記出光面に導く、導光装置。
【請求項２】
前記光透過領域は、前記第１方向に配列された複数の単位光学要素を含み、
各単位光学要素は、前記導光板の法線方向及び前記第１方向の両方に交差する方向に延びている、請求項１に記載の導光装置。
【請求項３】
前記第１方向に沿った前記単位光学要素の長さをＷとし、前記導光板の法線方向に沿った前記単位光学要素の長さをＨとすると、
０．１≦Ｈ／Ｗ≦０．５
を満たす、請求項２に記載の導光装置。
【請求項４】
各傾斜面は、前記第１方向に沿って前記反対面に向かうにつれて前記導光板の法線方向に沿って前記出光面に接近していくように、前記導光板の法線方向及び前記第１方向の両方に対して傾斜している、請求項１乃至３のいずれか一項に記載の導光装置。
【請求項５】
前記反射領域は、複数の第１傾斜面を含む第１反射領域を含み、
前記導光板の法線方向及び前記第１方向の両方に平行な主断面において、前記第１方向に沿った前記第１傾斜面の長さは、当該第１傾斜面よりも前記反対面に近接して位置する任意の他の第１傾斜面の前記第１方向に沿った長さ以下である、請求項４に記載の導光装置。
【請求項６】
前記反射領域は、前記第１反射領域と前記光透過領域との間に配置され、第２傾斜面を含む第２反射領域をさらに含み、
前記主断面において、前記第１方向に沿った前記第２傾斜面の長さは、前記第２反射領域に最も近接して位置する第１傾斜面の前記第１方向に沿った長さよりも大きい、請求項５に記載の導光装置。
【請求項７】
各傾斜面は、前記導光板の法線方向及び前記第１方向の両方に交差する方向に延びている、請求項１乃至６のいずれか一項に記載の導光装置。
【請求項８】
請求項１乃至７のいずれか一項に記載の導光装置と、
前記導光板の前記入光面に対向して配置された光源と、を備える、面光源装置。
【請求項９】
請求項８に記載の面光源装置と、
前記面光源装置に対向して配置された液晶表示パネルと、備える、表示装置。
【発明の詳細な説明】
【技術分野】
【０００１】
本発明は、出射光の出射方向を制御することができる導光装置、この導光装置を有する面光源装置及び表示装置に関する。
【背景技術】
【０００２】
面状に光を照射する面光源装置が、例えば液晶表示装置に組み込まれ液晶表示パネルを背面側から照明するバックライトとして、広く普及している。液晶表示装置用の面光源装置は、大別すると、直下型と、導光板の側方に光源を配置するエッジライト型（サイドライト型とも呼ぶ）と、に分類される。
【０００３】
エッジライト型の面光源装置は、直下型の面光源装置と比較して、面光源装置の薄型化を可能にするといった構造的特徴を有している。この構造的特徴から、エッジライト型面光源装置は、これまで主としてノート型パーソナルコンピュータ（以下において、単に「ノート型ＰＣ」とも呼ぶ）用の表示装置に適用されてきた。
【０００４】
例えば、特許文献１または２に記載のエッジライト型の面光源装置は、互いに対向する出光面及び裏面と、前記出光面と前記裏面との間の側面の一部分をなす入光面と、を含んだ導光板と、導光板の側面に対面して配置された光源と、を有している。入光面から導光板に入射した光源からの光は、出光面と裏面との間で反射を繰り返しながら導光され、出光面から取り出されるようになっている。
【先行技術文献】
【特許文献】
【０００５】
【特許文献１】特開２００４−２２７９３４号公報
【特許文献２】特開２００６−２８６４８９号公報
【発明の概要】
【発明が解決しようとする課題】
【０００６】
光源から導光板の入光面に入射する光は、入光面への法線方向（導光方向）に対してなす角度が小さくなるように曲げられる。このため、出光面のうちの入光面寄りの領域には入光面からの光が到達し難くなり、この入光面寄りの領域が他の領域よりも暗く観察され易い。
【０００７】
また、光の屈折率は波長に応じて異なる。このため、波長の短い光は、入光面で曲げられ難く、出光面のうちの入光面寄りの領域にますます到達し難くなる。その上、波長の短い光は、波長の長い光よりも全反射臨界角が大きい。このため、波長の短い光は、入光面寄りの出光面から取り出され難く、結果として、出光面のうちの入光面寄りの領域は、波長の短い光が相対的に取り出され難く黄色味を帯びた色に観察されてしまう。
【０００８】
本発明は、このような点を考慮してなされたものであり、出光面のうちの入光面寄りの領域が相対的に暗く観察されてしまうこと並びに色味を帯びて観察されてしまうことを抑制することが可能な導光装置、面光源装置および表示装置を提供することを目的とする。
【課題を解決するための手段】
【０００９】
本発明による導光装置は、出光面と、前記出光面に対向する裏面と、前記出光面と前記裏面との間の側面の一部分からなる少なくとも一つの入光面と、前記側面の一部分からなり第１方向に沿って一つの入光面に対向する反対面と、を有する導光板と、
前記導光板の前記裏面に対向して配置された反射層と、を備え、
前記導光板の前記裏面は、前記第１方向に配列された複数の傾斜面を含む反射領域と、前記反射領域よりも入光面に近接した位置に設けられた光透過領域と、を含み、
前記光透過領域は、前記入光面からの光を屈折して前記反射層に導き、前記反射層で反射した光のうちの少なくとも一部を透過させて前記出光面に導く。
【００１０】
本発明による導光装置において、前記光透過領域は、前記第１方向に配列された複数の単位光学要素を含み、各単位光学要素は、前記導光板の法線方向及び前記第１方向の両方に交差する方向に延びていてもよい。
【００１１】
本発明による導光装置において、前記第１方向に沿った前記単位光学要素の長さをＷとし、前記導光板の法線方向に沿った前記単位光学要素の長さをＨとすると、
０．１≦Ｈ／Ｗ≦０．５
を満たしてもよい。
【００１２】
本発明による導光装置において、各傾斜面は、前記第１方向に沿って前記反対面に向かうにつれて前記導光板の法線方向に沿って前記出光面に接近していくように、前記導光板の法線方向及び前記第１方向の両方に対して傾斜していてもよい。
【００１３】
本発明による導光装置において、前記反射領域は、複数の第１傾斜面を含む第１反射領域を含み、前記導光板の法線方向及び前記第１方向の両方に平行な主断面において、前記第１方向に沿った前記第１傾斜面の長さは、当該第１傾斜面よりも前記反対面に近接して位置する任意の他の第１傾斜面の前記第１方向に沿った長さ以下であってもよい。
【００１４】
本発明による導光装置において、前記反射領域は、前記第１反射領域と前記光透過領域との間に配置され、第２傾斜面を含む第２反射領域をさらに含み、前記主断面において、前記第１方向に沿った前記第２傾斜面の長さは、前記第２反射領域に最も近接して位置する前記第１方向に沿った長さよりも大きくてもよい。
【００１５】
本発明による導光装置において、各傾斜面は、前記導光板の法線方向及び前記第１方向の両方に交差する方向に延びていてもよい。
【００１６】
本発明による面光源装置は、
上述した本発明による導光板のいずれかと、
前記導光板の前記入光面に対向して配置された光源と、を備える。
【００１７】
本発明による表示装置は、
上述した本発明による面光源装置のいずれかと、
前記面光源装置に対向して配置された液晶表示パネルと、備える。
【発明の効果】
【００１８】
本発明によれば、入光面からの光が裏面に配置された光透過領域で屈折して反射層に向かい、反射層で反射した光の少なくとも一部が再び光透過領域を透過して出光面のうちの入光面寄りの領域に向かう。これにより、出光面のうちの入光面寄りの領域にも種々の波長の光を到達させることができ、出光面のうちの入光面寄りの領域が相対的に暗く観察されてしまうこと並びに色味を帯びて観察されてしまうことを抑制することが可能となる。
【図面の簡単な説明】
【００１９】
【図１】図１は、本発明による一実施の形態を説明するための図であって、表示装置および面光源装置の概略構成を示す断面図である。
【図２】図２は、図１に示す表示装置を構成する面光源装置を示す断面図である。
【図３】図３は、図１の面光源装置に組み込まれた導光板を出光面の側から示す斜視図である。
【図４】図４は、図１の面光源装置に組み込まれた導光板を裏面の側から示す斜視図である。
【図５】図５は、図１の面光源装置に組み込まれた光学シートを示す斜視図である。
【図６】図６は、導光板の入光面付近を拡大して示す断面図である。
【図７】図７は、図２に示す導光板の他の構成例を示す断面図である。
【図８】図８は、図２に示す導光板のさらに他の構成例を示す断面図である。
【図９】図９は、図６に対応する図であって、各実施例に係る面光源装置の寸法を説明するための図である。
【発明を実施するための形態】
【００２０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２１】
図１〜図９は本発明による一実施の形態を説明するための図である。このうち、図１は、表示装置１０の概略構成を示す斜視図であり、図２は、面光源装置２０を示す断面図である。図３及び図４は、導光板３０を示す斜視図であり、図５は、光学シート６０を示す斜視図である。
【００２２】
図１に示すように、表示装置１０は、透過型表示部としての液晶表示パネル１５と、液晶表示パネル１５の背面側に配置され液晶表示パネル１５を背面側から面状に照らす面光源装置２０と、を備えている。表示装置１０は、画像を表示する表示面１１を有している。液晶表示パネル１５は、面光源装置２０からの光の透過または遮断を画素毎に制御するシャッターとして機能し、表示面１１に像を表示するように構成されている。
【００２３】
図示された液晶表示パネル１５は、出光側に配置された上偏光板１３と、入光側に配置された下偏光板１４と、上偏光板１３と下偏光板１４との間に配置された液晶層セル１２と、を有している。偏光板１４，１３は、入射した光を直交する二つの偏光成分（Ｐ波およびＳ波）に分解し、一方の方向（透過軸と平行な方向）に振動する直線偏光成分（例えば、Ｐ波）を透過させ、前記一方の方向に直交する他方の方向（吸収軸と平行な方向）に振動する直線偏光成分（例えば、Ｓ波）を吸収する機能を有している。
【００２４】
液晶層１２には、一つの画素を形成する領域毎に、電界印加がなされ得るようになっている。そして、電界印加の有無によって液晶層１２中の液晶分子の配向方向が変化するようになる。一例として、入光側に配置された下偏光板１４を透過した特定方向の偏光成分は、電界印加された液晶層１２を通過する際にその偏光方向を９０°回転させ、その一方で、電界印加されていない液晶層１２を通過する際にその偏光方向を維持する。この場合、液晶層１２への電界印加の有無によって、下偏光板１４を透過した特定方向に振動する偏光成分が、下偏光板１４の出光側に配置された上偏光板１３をさらに透過するか、あるいは、上偏光板１３で吸収されて遮断されるか、を制御することができる。
【００２５】
このようにして液晶表示パネル１５では、面光源装置２０からの光の透過または遮断を画素毎に制御し得るようになっている。なお、液晶表示パネル１５の詳細については、種々の公知文献（例えば、「フラットパネルディスプレイ大辞典（内田龍男、内池平樹監修）」２００１年工業調査会発行）に記載されており、ここではこれ以上の詳細な説明を省略する。
【００２６】
次に、面光源装置２０について説明する。面光源装置２０は、面状に光を発光する発光面２１を有し、本実施の形態では、液晶表示パネル１５を背面側から照明する装置として用いられている。
【００２７】
図１に示すように、面光源装置２０は、エッジライト型の面光源装置として構成され、導光板３０と、導光板３０の一方の側（図１に於いては左側）の側方に配置された光源２４と、導光板３０の両側（出光側、入光側）にそれぞれ配置された光学シート（プリズムシート）６０及び反射層２８と、を有している。導光板３０と反射層２８とによって、導光装置２が構成される。図示された例では、光学シート６０が液晶表示パネル１５に対面して配置され、光学シート６０の出光面６１によって、面光源装置２０の発光面２１が画成されている。
【００２８】
導光板３０は、液晶表示パネル１５側の一方の主面によって構成された出光面３１と、出光面３１に対向するもう一方の主面からなる裏面３２と、出光面３１および裏面３２の間を延びる側面と、を有している。側面のうちの第１方向ｄ１に対向する二つの面の一方が、入光面３３をなしている。図１に示すように、入光面３３に対面して光源２４が設けられている。入光面３３から導光板３０内に入射した光は、第１方向（導光方向）ｄ１に沿って入光面３３に対向する反対面３４に向け、概ね第１方向（導光方向）ｄ１に沿って導光板３０内を導光されるようになる。
【００２９】
図示する例において、導光板３０の出光面３１は、液晶表示装置１０の表示面１１および面光源装置２０の発光面２１と同様に、平面視形状（図１に於いては、上方から見下ろして見た形状）が四角形形状に形成されている。この結果、導光板３０は、全体的に、一対の主面（出光面３１および裏面３２）を有する相対的に厚み方向の辺が他の辺よりも小さい直方体状の部材として構成されており、一対の主面間に画成される側面は四つの面を含んでいる。同様に、光学シート６０及び反射層２８は、全体的に、相対的に厚み方向の辺が他の辺よりも小さい直方体状の部材として構成されている。
【００３０】
光源は、例えば、線状の冷陰極管等の蛍光灯や、点状のＬＥＤ（発光ダイオード）や白熱電球等の種々の態様で構成され得る。本実施の形態において、光源２４は、入光面３３の長手方向（図１に於いては、紙面に直交する方向、即ち、紙面の表裏方向）に沿って、並べて配置された多数の点状発光体２５、具体的には、多数の発光ダイオード（ＬＥＤ）によって、構成されている。なお、図３及び図４には、光源２４をなす多数の点状発光体２５の配置位置が示されている。
【００３１】
図１および図２に示すように、反射層２８は、導光板３０の裏面３２に対面するようにして配置されている。反射層２８は、導光板３０の裏面３２から漏れ出した光を反射して、再び導光板３０内に入射させるための部材である。反射層２８は、白色の散乱反射層、金属等の高い反射率を有する材料からなるシート、高い反射率を有する材料からなる薄膜（例えば金属薄膜）を表面層として含んだシート等から、構成され得る。反射層２８での反射は、正反射（鏡面反射）でもよく、拡散反射でもよい。反射層２８での反射が拡散反射の場合には、当該拡散反射は、等方性拡散反射であってもよいし、異方性拡散反射であってもよい。
【００３２】
図５に示すように、面光源装置２０の発光面２１に対面して配置された光学シート６０は、入光側から入射した光の進行方向を変化させて出光側から出射させ、正面方向の輝度を集中的に向上させるためのシート状部材である。図５に示す例において、光学シート６０は、そのシート面上の一方向（配列方向）、具体的には、上述した第１方向ｄ１に沿って並べて配列された複数の単位プリズム７０を有している。単位プリズム７０は、光学シート６０のシート面上において、その配列方向に直交する方向に直線状に延びている。単位プリズム７０は、その長手方向に直交する断面において、三角形形状の断面形状を有している。単位プリズム７０の断面三角形形状の頂角によってなされる頂部７０ａは、入光側、すなわち、導光板３０の側に向けて突出している。
【００３３】
ところで、本明細書において、「出光側」とは、光源２４、導光板３０、光学シート６０、液晶表示パネル１５と、表示装置１０の構成要素間を逆戻りすることなく進んで、表示装置１０から出射して観察者へ向かう光の進行方向における下流側（観察者側、例えば図１における紙面の上側）のことであり、「入光側」とは、光源２４、導光板３０、光学シート６０、液晶表示パネル１５と、表示装置１０の構成要素間を逆戻りすることなく進んで、表示装置１０から出射して観察者へ向かう光の進行方向における上流側のことである。
【００３４】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００３５】
さらに、本明細書において「シート面（板面、フィルム面）」とは、対象となるシート状の部材を全体的かつ大局的に見た場合において対象となるシート状部材の平面方向と一致する面のことを指す。そして、本実施の形態においては、導光板３０の板面、光学シート６０のシート面、反射層２８のシート面、液晶表示パネルのパネル面、表示装置１０の表示面１１、および、面光源装置２０の発光面２１は、互いに平行となっている。さらに、本明細書において、シート状の部材の法線方向とは、対象となるシート状の部材のシート面への法線方向のことを指す。
【００３６】
また、本明細書における「単位プリズム」、「単位形状要素」、「単位光学要素」および「単位レンズ」とは、屈折や反射等の光学的作用を光に及ぼして、当該光の進行方向を変化させる機能を有した要素のことを指し、呼称の違いのみに基づいて、互いから区別されるものではない。
【００３７】
次に、導光板３０についてさらに詳述する。
【００３８】
図２によく示されているように、導光板３０の裏面３２は、反対面３４側に設けられた反射領域３２ａと、入光面３３側に設けられた光透過領域３２ｂと、を含んでいる。このうち、反射領域３２ａは、導光板３０内を第１方向ｄ１に沿って導光される光を取り出すように機能する。一方、光透過領域３２ｂは、出光面３１のうちの入光面３３寄りの領域に生じ得る明暗差及び色味を目立たなくさせるように機能する。
【００３９】
先ず、反射領域３２ａについて説明する。反射領域３２ａは、第１方向ｄ１に配列された複数の傾斜面３７と、導光板３０の法線方向ｎｄに延びる立上面３８と、導光板３０の板面方向に延びる接続面３９と、を有している。図２に示す例では、傾斜面３７と立上面３８と接続面３９とが第１方向ｄ１に沿って繰り返し配列されている。そして、各傾斜面３７、各立上面３８及び各接続面３９は、導光板３０の板面内を第１方向ｄ１に交差して延びる第２方向ｄ２に沿って延びている。本実施の形態では、第２方向ｄ２は、第１方向ｄ１に直交している。
【００４０】
傾斜面３７は、導光板３０内を第１方向ｄ１に沿って導光される光の進行方向を調整して導光板３０内から光を取り出すための要素である。図２に示すように、傾斜面３７は、入光面３３側から反対面３４側へ向かうにつれて導光板３０の法線方向ｎｄに沿って出光面３１に接近いくように、法線方向ｎｄ及び第１方向ｄ１に対して傾斜している。すなわち、傾斜面３７は、反対面３４側に位置する端部Ｅ１が入光面３３側に位置する端部Ｅ２よりも出光面３１に接近するように、法線方向ｎｄ及び第１方向ｄ１に対して傾斜している。
【００４１】
立上面３８は、導光板３０内を導光される光に対して光学作用を及ぼすことが期待されていない面である。図２に示す例では、複数の立上面３８は、互いに同じ長さに設定されている。
【００４２】
一方、接続面３９は、傾斜面３７とは非平行な面であり、導光板３０内を導光される光に対して傾斜面３７とは異なる光学作用を及ぼす。図２に示す例では、第１方向ｄ１に沿って反対面３４に近接して配置された接続面３９ほど、第１方向ｄ１に沿った長さが短くなる傾向にある。
【００４３】
このような反射領域３２ａによれば、出光面３１と裏面３２との間で反射を繰り返す光のうち、接続面３９で反射する光については、その後に出光面３１に入射する際の入射角度が維持され、傾斜面３７で反射する光については、その後に出光面３１に入射する際の入射角度が小さくなっていく。傾斜面３７での反射により出光面３１への入射角度が全反射臨界角度未満になると、この光は、導光板３０から出射するようになる。
【００４４】
とりわけ、本実施の形態では、傾斜面３７及び接続面３９の反射領域３２ａ内での分布が、導光方向である第１方向ｄ１に沿って変化している。第１方向ｄ１に沿った傾斜面３７及び接続面３９の分布を調節することにより、導光板３０からの出射光量の第１方向ｄ１に沿った分布を調整することができる。図２に示す例では、第１方向ｄ１に沿って入射面３３から反対面３４に接近するにつれて、裏面３２のうちの傾斜面３７が占める割合が高くなっている。このような構成によれば、導光方向に沿って入射面３３から離間した領域での導光板３０からの光の出射が促進され、入射面３３から離間するにつれて出射光量が低下してしまうことを効果的に防止することができる。
【００４５】
ここで、導光板３０の法線方向ｎｄ及び第１方向ｄ１の両方に平行な断面（以下主切断面）において、傾斜面３７が第１方向ｄ１に対してなす角度を傾斜角度αとする。導光板３０において、第１方向ｄ１に沿って反対面３４に近接して配置された傾斜面３７ほど、傾斜角度αが大きくなる傾向にある。本実施の形態では、少なくとも一つの傾斜面３７の傾斜角度αは、当該一つの傾斜面３７よりも第１方向ｄ１に沿って反対面３４に近接して配置された任意の他の傾斜面３７の傾斜角度α未満となっている。さらに、任意の一つの傾斜面３７の傾斜角度αは、当該一つの傾斜面３７よりも第１方向ｄ１に沿って反対面３４に近接して配置された任意の他の傾斜面３７の傾斜角度α以下となっている。このことから、第１方向ｄ１に沿って入光面３３に最も近接して配置された傾斜面３７の傾斜角度αが最も小さくなり、第１方向ｄ１に沿って反対面３４に最も近接して配置された傾斜面３７の傾斜角度αが最も大きくなる。
【００４６】
このように、裏面３２に反射領域３２ａが設けられていることにより、導光板３０内を導光される光が出光面３１から偏りなく取り出されるようになっている。ただし、光源２４から入光面３３に入射する光は、第１方向ｄ１に対してなす角度が小さくなるように曲げられるため、出光面３１のうちの入光面３３近傍の領域からは、光を取り出し難い。
【００４７】
そこで、本実施の形態では、裏面３２のうちの反射領域３２ａよりも入光面３３に近接した位置に光透過領域３２ｂが設けられている。光透過領域３２ｂは、入光面３３からの光を屈折して反射層２８に導き、反射層２８で反射した光の少なくとも一部を透過させて出光面３１に導くよう構成されている。
【００４８】
図６に、光透過領域３２ｂを拡大して示す。図６に示すように、光透過領域３２ｂは、第１方向ｄ１に配列された複数の単位光学要素４０を含んでいる。各単位光学要素４０は、導光板３０の板面内を第１方向ｄ１と交差する方向、より詳細には第１方向ｄ１と直交する第２方向ｄ２（図３参照）に線状に延びている。
【００４９】
図６に示す例では、単位光学要素４０は、シリンドリカルレンズとして構成されている。すなわち、シリンドリカルレンズからなる各単位光学要素４０は、柱状に形成され、その長手方向に沿って同一の断面形状を有するようになっている。また、図６に示す主切断面における各単位光学要素４０の断面形状は、半円形乃至半楕円形になっている。
【００５０】
また、各単位光学要素４０は、反射層２８に向けて先細りしていく形状となっている。つまり、図６に示す主切断面において、第１方向ｄ１に沿った単位光学要素４０の長さつまり幅Ｗは、導光板３０の法線方向ｎｄに沿って反射層２８に接近するにつれて小さくなっていく。
【００５１】
また、導光板３０の法線方向ｎｄに沿った単位光学要素４０の長さ、つまり高さをＨとする。単位光学要素４０の高さＨを単位光学要素４０の幅Ｗで割った値、すなわちアスペクト比Ｈ／Ｗは、一例として以下の式（１）を満たすように決定されている。
０．１≦Ｈ／Ｗ≦０．５  ‥（１）
なお、一例として、単位光学要素４０の幅Ｗは、例えば１ｍｍ以下に設定され、単位光学要素４０の高さＨは、０．５ｍｍ以下に設定され得る。
【００５２】
次に、導光板３０の出光面３１の構成について説明する。導光板３０の出光面３１には、出光側単位光学要素５０が配列されている。複数の出光側単位光学要素５０は、第１方向ｄ１に交差し且つ導光板３０の板面と平行な配列方向（図３においては左右方向）に並べられている。各出光側単位光学要素５０は、導光板３０の板面内を、その配列方向と交差する方向に線状に延びている。
【００５３】
とりわけ本実施の形態では、図３に示すように、複数の出光側単位光学要素５０は、第１方向ｄ１と直交する第２方向（配列方向）ｄ２に隙間無く並べて配列されている。したがって、導光板３０の出光面３１は、出光側単位光学要素５０の表面によってなされる傾斜面３５，３６として、構成されている。また、各出光側単位光学要素５０は、配列方向と直交する第１方向ｄ１に沿って、直線状に延びている。さらに、各出光側単位光学要素５０は、柱状に形成され、その長手方向に沿って同一の断面形状を有するようになっている。また、本実施の形態において、複数の出光側単位光学要素５０は、互いに同一に構成されている。この結果、本実施の形態における導光板３０は、第１方向ｄ１に沿った各位置において、一定の断面形状を有するようになっている。
【００５４】
次に、単位光学要素の配列方向（第２方向）ｄ２および導光板３０の板面への法線方向ｎｄの両方向に平行な断面における、各出光側単位光学要素５０の断面形状について説明する。図４から理解されるように、前記断面における各出光側単位光学要素５０の断面形状は、出光側に向けて先細りしていく形状となっている。つまり、前記断面において、導光板３０の板面と平行な出光側単位光学要素５０の幅は、導光板３０の法線方向ｎｄに沿って裏面３２から離間するにつれて小さくなっていく。
【００５５】
ここで、導光板３０の寸法は、一例として、以下のように設定され得る。例えば、導光板３０の厚みは、０．３ｍｍ〜６ｍｍとすることができる。また、出光側単位光学要素５０の第２方向ｄ２に沿った長さつまり幅を１０μｍ以上５００μｍ以下とすることができる。
【００５６】
以上のような構成からなる導光板３０は、基材上に傾斜面３７、単位光学要素４０及び出光側単位光学要素５０を賦型することにより、あるいは、押し出し成型により、作製することができる。導光板３０をなす材料としては、種々の材料を使用することができる。ただし、表示装置に組み込まれる光学シート用の材料として広く使用され、優れた機械的特性、光学特性、安定性および加工性等を有するとともに安価に入手可能な材料、例えば、アクリル樹脂、ポリスチレン、ポリカーボネート、ポリエチレンテレフタレート、ポリアクリロニトリル等の一以上を主成分とする透明樹脂や、エポキシアクリレートやウレタンアクリレート系の反応性樹脂（電離放射線硬化型樹脂等）が好適に使用され得る。尚、必要に応じて、導光板３０中に光を拡散させる機能を有する拡散性分を添加することもできる。拡散成分は、一例として、平均粒径が０．５〜１００μｍ程度であるシリカ（二酸化珪素）、アルミナ（酸化アルミニウム）、アクリル樹脂、ポリカーボネート樹脂、シリコーン樹脂等の透明物質からなる粒子を、用いることができる。
【００５７】
電離放射線硬化型樹脂を基材上に硬化させることによって導光板３０を作製する場合、出光側単位光学要素５０とともに、出光側単位光学要素５０と基材との間に位置するようになるシート状のランド部を、基材上に形成するようにしてもよい。この場合、基材として、光拡散粒子とともに押し出し成型された樹脂材料からなる板材を、用いることができる。一方、押し出し成型で作製された導光板３０においては、一体物として形成され得る。
【００５８】
次に、以上のような構成からなる表示装置１０の作用について説明する。
【００５９】
まず、図２に示すように、光源２４をなす発光体２５で発光された光Ｌ２１〜Ｌ２３は、入光面３３を介し、導光板３０に入射する。光源２４から導光板３０の入光面３３に入射する光Ｌ２１〜Ｌ２３は、その進行方向が入光面３３への法線方向つまり第１方向ｄ１に対してなす角度が小さくなるように曲げられる。このため、出光面３１のうちの入光面３３近傍の領域３１ａには入光面３３からの光Ｌ２１〜Ｌ２３が到達し難い。
【００６０】
図６に示すように、導光板３０内に進入した光の一部Ｌ２３、Ｌ２４は、光透過領域３２ｂにて導光板３０への法線方向ｎｄに対してなす角度が小さくなるように屈折して反射層２８に向かっていく。反射層２８に向かった光Ｌ２３、Ｌ２４は、反射層２８で反射し、この反射した光Ｌ２３、Ｌ２４の少なくともその一部が光透過領域３２ｂに戻る。再び光透過領域３２ｂに入射した光Ｌ２３、Ｌ２４は、光透過領域３２ｂを透過して出光面３１のうちの入光面３３近傍の領域３１ａに導かれる。
【００６１】
一方、導光板３０内に進入した光のうち光透過領域３２ｂに入射しなかった光Ｌ２１、Ｌ２２は、導光板３０の出光面３１および裏面３２において、反射、とりわけ導光板３０をなす材料と空気との屈折率差に起因して全反射を繰り返し、導光板３０の入光面３３と反対面３４とを結ぶ第１方向（導光方向）ｄ１へ進んでいく。
【００６２】
導光板３０の裏面３２は、入光面３３から反対面３４に向かうにつれて、出光面３１に対して接近するように傾斜した傾斜面３７を有している。傾斜面３７は立上面３８及び接続面３９を介して連結されている。このうち立上面３８は、導光板３０の板面の法線方向ｎｄに延びている。したがって、導光板３０内を入光面３３の側から反対面３４の側へと進む光Ｌ２１、Ｌ２２の殆どは、裏面３２のうち、立上面３８に入射することなく、傾斜面３７又は接続面３９にて反射するようになる。そして、裏面３２のうちの傾斜面３７で反射すると、図２に示された断面における当該光Ｌ２１、Ｌ２２の進行方向は、導光板３０の板面に対する傾斜角度を増大させる。すなわち、裏面３２のうちの傾斜面３７で反射すると、以降における、当該光Ｌ２１、Ｌ２２の出光面３１及び裏面３２への入射角度が小さくなる。したがって、導光板３０内を進む光Ｌ２１、Ｌ２２の出光面３１及び裏面３２への入射角度は、裏面３２のうちの傾斜面３７での一以上の反射によって、次第に小さくなっていく。裏面３２への入射角度が全反射臨界角未満となると、当該光Ｌ２１、Ｌ２２は、導光板３０の出光面３１および裏面３２から、出射し得るようになる。裏面３２から出射した光は、導光板３０の背面に配置された反射層２８で反射され再び導光板３０内に入射して導光板３０内を進むことになる。
【００６３】
一方、出光面３１を介し導光板３０から出射する光Ｌ２１〜Ｌ２４は、出光面３１をなす出光側単位光学要素５０の出光側面において屈折する。この屈折により、法線方向ｎｄに対して第２方向ｄ２に傾斜した方向に進む光Ｌ２１〜Ｌ２４は、第２方向ｄ２に沿った成分について、透過光の進行方向を法線方向ｎｄ側に絞り込まれる。すなわち、出光側単位光学要素５０は、導光方向と直交する第２方向ｄ２に沿った光の成分に対して、正面方向における輝度を向上させるように作用する。
【００６４】
導光板３０から出射した光Ｌ２１〜Ｌ２４は、その後、光学シート６０へ入射する。上述したように、この光学シート６０は、導光板３０の側へ向けて先端部７０ａが突出する単位プリズム７０を有している。図５によく示されているように、単位プリズム７０の長手方向は、導光板３０による導光方向（第１方向）ｄ１と直交する第２方向ｄ２と平行になっている。
【００６５】
この結果、光源２４で発光され導光板３０を介して光学シート３０へ向かう光Ｌ２１〜Ｌ２４は、入光面３３側に位置する単位プリズム７０の第１プリズム面７１を介して単位プリズム７０へ入射する。図２に示すように、この光Ｌ２１〜Ｌ２４は、その後、反対面３４側に位置する単位プリズム７０の第２プリズム面７２で全反射してその進行方向を変化させるようになる。
【００６６】
そして、単位プリズム７０の第２プリズム面７２での全反射により、図２に示す主切断面において導光板３０の法線方向ｎｄから傾斜した方向に進む光Ｌ２１〜Ｌ２４は、その進行方向が法線方向ｎｄに対してなす角度が小さくなるように、曲げられる。このような作用により、単位プリズム７０は、第１方向（導光方向）ｄ１に沿った光の成分について、透過光の進行方向を法線方向ｎｄ寄りに絞り込むことができる。すなわち、光学シート６０は、第１方向ｄ１に沿った光の成分に対して、正面方向における輝度を向上させるように作用する。
【００６７】
なお、このように光学シート６０の単位プリズム７０によってその進行方向を大きく変化させられる光は、主として、単位プリズム７０の配列方向である第１方向ｄ１に進む成分であり、導光板３０の単位光学要素５０によって集光させられる第２方向ｄ２に進む成分とは異なる。したがって、光学シート６０の単位プリズム７０での光学的作用によって、導光板３０の単位光学要素５０によって上昇させられた正面方向輝度を害すことなく、さらに、正面方向輝度を向上させることができる。
【００６８】
面光源装置２０の発光面２１を形成する光学シート６０から出射した光は、その後、液晶表示パネル１５の下偏光板１４へ入射する。下偏光板１４は、直交する二つの偏光成分（Ｐ波およびＳ波）のうちの、一方の方向に振動する偏光成分の光を透過させる。下偏光板１４を透過した一方の偏光成分の光は、画素毎への電界印加の状態に応じて、選択的に上偏光板１３を透過するようになる。このようにして、液晶表示パネル１５によって、面光源装置２０からの光を画素毎に選択的に透過させることにより、液晶表示装置１０の観察者が、映像を観察することができるようになる。
【００６９】
以上のように、本実施の形態によれば、出光面３１と、出光面３１に対向する裏面３２と、出光面３１と裏面３２との間の側面の一部分からなる少なくとも一つの入光面３３と、前記側面の一部分からなり第１方向ｄ１に沿って一つの入光面３３に対向する反対面３４と、を有する導光板３０と、導光板３０の裏面３２に対向して配置された反射層２８と、を備え、導光板３０の裏面３２は、第１方向ｄ１に配列された複数の傾斜面３７を含む反射領域３２ａと、反射領域３２ａよりも入光面３３に近接した位置に設けられた光透過領域３２ｂと、を含み、光透過領域３２ｂは、入光面３３からの光を屈折して反射層２８に導き、反射層２８で反射した光のうちの少なくとも一部を透過させて出光面３１に導く。このような形態によれば、入光面３３からの光Ｌ２３、Ｌ２４が裏面３２に配置された光透過領域３２ｂで屈折して反射層２８に向かい、反射層２８で反射した光のうちの少なくとも一部が再び光透過領域３２ｂを透過して出光面３１に向かう。これにより、出光面３１のうちの入光面３３寄りの領域３１ａにも種々の波長の光を到達させることができ、出光面３１のうちの入光面３３寄りの領域３１ａが相対的に暗く観察されてしまうこと並びに色味を帯びて観察されてしまうことを抑制することが可能となる。
【００７０】
また、本実施の形態によれば、光透過領域３２ｂは、第１方向ｄ１に配列された複数の単位光学要素４０を含み、各単位光学要素４０は、導光板３０の法線方向ｎｄ及び第１方向ｄ１の両方に交差する方向ｄ２に延びている。この場合、出光面３１のうちの入光面３３寄りの領域に生じ得る明暗差及び色味を目立たなくさせる光透過領域３２ｂを、実用的な態様で実現することができる。
【００７１】
また、本実施の形態によれば、第１方向ｄ１に沿った単位光学要素４０の長さをＷとし、導光板３０の法線方向ｎｄに沿った単位光学要素４０の長さをＨとすると、０．１≦Ｈ／Ｗ≦０．５を満たす。０．１≦Ｈ／Ｗとすることで、入光面３３からの光Ｌ２３、Ｌ２４が裏面３２に配置された光透過領域３２ｂで有効に屈折して反射層２８に向かわせる能力を十分に発揮することができる。結果として、出光面３１のうちの入光面３３寄りの領域３１ａに発生し得る明暗差及び色味を使用に耐え得るレベルで目立たなくさせることができる。ただし、Ｈ／Ｗ＞０．５となると、工業生産上の実現が困難となり、市場で競争力のある価格で提供できないおそれが高まる。
【００７２】
また、本実施の形態によれば、各傾斜面３７は、第１方向ｄ１に沿って反対面３４に向かうにつれて導光板３０の法線方向ｎｄに沿って出光面３１に接近していくように、導光板３０の法線方向ｎｄ及び第１方向ｄ１の両方に対して傾斜し、傾斜面３７が導光板３０の法線方向ｎｄ及び第１方向ｄ１の両方に平行な主断面において第１方向ｄ１に対してなす傾斜角度αは、当該傾斜面３７よりも反対面３４に近接して位置する任意の他の傾斜面３７の傾斜角度α以下である。この場合、反対面３４に近接して位置する傾斜面３７ほど傾斜角度αが大きくなるため、反対面３４に近接して位置する傾斜面３７にて反射した光ほど、その後の出光面３１への入射角度をより小さく変更させられる傾向となる。このため、出射光量が少なくなってしまう傾向にある反対面３４に近接した領域において、導光板３０の出光面３１から光を取り出し易くすることができ、結果として、導光方向に沿った出射光量の均一化を図ることができる。
【００７３】
とりわけ、本実施の形態によれば、導光方向ｄ１に沿って入射面３３から反対面３４に接近するにつれて、裏面３２のうちの傾斜面３７が占める割合が高くなっている。これにより、出射光量が少なくなってしまう傾向にある反対面３４に近接した領域において、導光板３０の出光面３１からの出射光量を十分に確保し、導光方向に沿った出射光量の均一化をさらに図ることができる。
【００７４】
なお、光透過領域３２ｂを構成する単位光学要素４０が期待された光学作用を発揮するためには、図６に示す主切断面において、単位光学要素４０上の或る地点ｘにおける接線ＴＬが第１方向ｄ１に対してなす角度の大きさβが、光透過領域３２ｂに最も近接して位置する傾斜面３７の傾斜角度αよりも大きいのが好ましい。この場合、光源２４から裏面３２に向かう光のうち、傾斜面３７にて全反射すべき方向から裏面３２に向かう光Ｌ２５が光透過領域３２ｂの地点ｘに入射したときに、当該光透過領域３２ｂで全反射せずに透過し得る。
【００７５】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００７６】
上述した実施の形態において、導光板３０の光透過領域３２ｂをなす単位光学要素４０がシリンドリカルレンズからなる例について説明したが、単位光学要素４０の形態は、上述した例に限定されない。単位光学要素４０は、入光面３３からの光を屈折して反射層２８に導き、且つ、反射層２８で反射した光の少なくとも一部を透過させて出光面３１に導くことができるものであればよい。単位光学要素４０の他の形態として、プリズム要素からなってもよい。この場合、主切断面における各単位光学要素４０の断面形状は、多角形状より具体的には三角形状になっている。
【００７７】
また、上述した実施の形態における導光板３０の裏面３２をなす反射領域３２ａの形態は、一例であってこのような例に限定されない。図７に、導光板３０の裏面３２をなす反射領域３２ａの他の例を示し、図９に、導光板３０の裏面３２をなす反射領域３２ａのさらに他の例を示す。図７及び図９に示す例においても、導光板３０の裏面３２は、反射領域３２ａと、反射領域３２ａよりも入光面３３に近接した位置に設けられた光透過領域３２ｂと、を含んでいる。
【００７８】
とりわけ、図７に示す例では、導光板３０の裏面３２をなす反射領域３２ａは、複数の第１傾斜面３７ａを含む第１反射領域ａ１と、第１反射領域ａ１と光透過領域３２ｂとの間に配置され、複数の第２傾斜面３７ｂを含む第２反射領域ａ２と、を含んでいる。第１傾斜面３７ａ及び第２傾斜面３７ｂは、図２に示す傾斜面３７に対応している。
【００７９】
第１傾斜面３７ａが図７に示す主断面において第１方向ｄ１に対してなす角度を第１傾斜角度α１とする。図７に示す例では、少なくとも一つの第１傾斜面３７ａの第１傾斜角度α１は、当該第１傾斜面３７ａよりも反対面３４に近接して位置する任意の他の第１傾斜面３７ａの第１傾斜角度α１未満となっている。さらに、任意の１つの第１傾斜面３７ａの第１傾斜角度α１は、当該第１傾斜面３７ａよりも反対面３４に近接して位置する任意の他の第１傾斜面３７ａの第１傾斜角度α１以下となっている。このような形態によれば、反対面３４に近接して位置する第１傾斜面３７ａほど第１傾斜角度α１が大きくなるため、反対面３４に近接して位置する第１傾斜面３７ａにて反射した光ほど、出光面３１への入射角度をより小さく変更させられる傾向となる。このため、出射光量が少なくなってしまう傾向にある反対面３４に近接した領域において、導光板３０の出光面３１から光を取り出し易くすることができ、結果として、導光方向に沿った出射光量の均一化を図ることができる。
【００８０】
また、第２傾斜面３７ｂが図７に示す主断面において第１方向ｄ１に対してなす角度を第２傾斜角度α２とする。図７に示す例では、任意の１つの第２傾斜面３７ｂの第２傾斜角度α２は、第２反射領域ａ２に最も近接して位置する第１傾斜面３７ａの第１傾斜角度α１よりも大きくなっている。このような形態によれば、入光面３３寄りに配置された第２反射領域ａ２に含まれる第２傾斜面３７ｂの第２傾斜角度α２を相対的に大きくすることができ、当該第２傾斜面３７ｂにて反射した光の出光面３１への入射角度を大幅に小さくすることができる。このため、出射光量が少なくなってしまう傾向にある入光面３３寄りの領域において、導光板３０の出光面３１から光をますます取り出し易くすることができ、結果として、導光方向に沿った出射光量の均一化を図ることができる。
【００８１】
一方、図８に示す例では、導光板３０の裏面３２をなす反射領域３２ａは、複数の第１傾斜面３７ａを含む第１反射領域ａ１と、第１反射領域ａ１と光透過領域３２ｂとの間に配置され、複数の第２傾斜面３７ｂを含む第２反射領域ａ２と、を含んでいる。第１傾斜面３７ａ及び第２傾斜面３７ｂは、図２に示す傾斜面３７に対応している。
【００８２】
図８に示す例では、各第１傾斜面３７ａの第１傾斜角度α１及び各第２傾斜面３７ｂの第２傾斜角度α２は、互いに等しくなっている。加えて、隣り合う２つの第１傾斜面３７ａのピッチ及び隣り合う２つの第２傾斜面３７ｂのピッチも、互いに等しくなっている。
【００８３】
その一方で、図８に示す主断面において、少なくとも一つの第１傾斜面３７ａの第１方向ｄ１に沿った長さＺ１は、当該第１傾斜面３７ａよりも反対面３４に近接して位置する任意の他の第１傾斜面３７ａの第１傾斜面３７ａの第１方向ｄ１に沿った長さＺ１未満となっている。さらに、任意の１つの第１傾斜面３７ａの第１方向ｄ１に沿った長さＺ１は、当該第１傾斜面３７ａよりも反対面３４に近接して位置する任意の他の第１傾斜面３７ａの第１方向ｄ１に沿った長さＺ１以下になっている。このような形態によれば、反対面３４に近接して位置する第１傾斜面３７ａほど第１方向ｄ１に沿った長さＺ１が長くなるため、反対面３４に近接した裏面３２上の位置に入射する光ほど、第１傾斜面３７ａに入射し易くなる。このため、出射光量が少なくなってしまう傾向にある反対面３４に近接した領域において、導光板３０の出光面３１から光を取り出し易くすることができ、結果として、導光方向に沿った出射光量の均一化を図ることができる。
【００８４】
また、図８に示す主断面において、任意の１つの第２傾斜面３７ｂの第１方向ｄ１に沿った長さＺ２は、第２反射領域ａ２に最も近接して位置する第１方向ｄ１に沿った長さＺ１よりも大きい。このような形態によれば、入光面３３寄りに配置された第２反射領域ａ２に含まれる第２傾斜面３７ｂの第１方向ｄ１に沿った長さＺ２を相対的に長くすることができ、入光面３３に近接した裏面３２上の位置に入射する光が、第２傾斜面３７ｂに入射し易くなる。このため、出射光量が少なくなってしまう傾向にある入光面３３寄りの領域において、導光板３０の出光面３１から光をますます取り出し易くすることができ、結果として、導光方向に沿った出射光量の均一化を図ることができる。
【００８５】
なお、以上において上述した実施の形態に対するいくつかの変形例を説明してきたが、当然に、複数の変形例を適宜組み合わせて適用することも可能である。
【実施例】
【００８６】
以下、実施例を用いて本発明をより詳細に説明するが、本発明はこの実施例に限定されるものではない。
【００８７】
以下に説明するようにして、実施例１〜４に係る面光源装置を作製した。面光源装置は、図１〜６を参照して説明した上述の一実施の形態と同一に構成した。すなわち、面光源装置は、光源、導光板、及び、光学シートを有するようにした。光学シートは、図１〜６を参照して説明した上述の一実施の形態と同一に構成した。反射層及び光源は、市販されている液晶表示装置に組み込まれているものを利用した。反射層、光学シート及び光源は、各面光源装置間で共通とした。
【００８８】
各実施例に係る面光源装置の導光板は、図１〜６を参照して説明した上述の一実施の形態と同一に構成した。具体的には、基材上の一方の面に裏面をなす反射領域及び光透過領域を賦型し、基材の他方の面に導光板の出光面をなす出光側単位光学要素を賦型することにより作成した。反射領域には、複数の傾斜面が導光方向となる第１方向に沿って配列され、光透過領域には、複数の単位光学要素が第１方向に沿って配列された。ただし、各実施例に係る導光板において、光透過領域をなす単位光学要素の主切断面におけるアスペクト比を変更した。
【００８９】
各構成要素の主要な寸法は、図９に示す通りとした。具体的には、先ず、主切断面において傾斜面が第１方向に対してなす傾斜角度αを２．３°とし、隣り合う傾斜面の間の間隔つまりピッチＰｍを１５０μｍとし、傾斜面の第１方向に沿った長さＬｍを３０μ−９０μｍの間で順に変化させた。
【００９０】
また、図９に示すように、光源は入光面に隣接するように配置し、光源と入光面との間に隙間はみられなかった。さらに、反射シートも裏面に隣接するように配置し、反射シートと裏面との間に隙間はみられなかった。
【００９１】
光透過領域は、裏面のうちの入光面から１ｍｍ以内となる領域に設けた。光透過領域をなす単位光学要素についての寸法は、表１に示す通りである。
【表１】
2016219388.tif 000003
【００９２】
（比較例１）
比較例１に係る導光板は、実施例１に係る導光板において、光透過領域を設けなかった形態に対応している。具体的には、比較例１に係る導光板は、実施例１に係る導光板において、裏面の光透過領域に相当する領域を導光板の板面に平行な平坦面として形成した例に対応している。
【００９３】
（評価結果）
このようにして作製された各実施例及び比較例に係る面光源装置において、光源から導光板に光を入射させた。表１の「明暗差」の欄において、出光面のうちの入光面寄りの領域が目視にて明らかに暗く観察された場合に×とし、目視にて違和感の感じられないレベルまで暗く観察されることが改善された場合には○とし、目視にて違和感の感じられないレベルまで改善されたとまではいえないが暗く観察されることがある程度目立たなくなった場合には△とした。
【００９４】
また、表１の「色味」の欄において、出光面のうちの入光面寄りの領域が目視にて明らかに黄色味を帯びて観察された場合に×とし、目視にて違和感の感じられないレベルまで黄色味を帯びて観察されることが改善された場合には○とし、目視にて違和感の感じられないレベルまで改善されたとまではいえないが黄色味を帯びて観察されることがある程度目立たなくなった場合には△とした。
【００９５】
また、表１の「コスト」の欄において、導光板を繰り返し賦型したときに、単位光学要素を安定して賦型することができた場合を○とし、導光板を繰り返し賦型したときに、単位光学要素に一度でも品質不良が発生してしまった場合を×とした。
【００９６】
表１に示す通り、比較例１に係る面光源装置おいては、出光面のうちの入光面寄りの領域が相対的に暗く観察されてしまい、且つ、黄色味を帯びて観察されてしまった。これに対して、実施例１〜４に係る面光源装置おいては、出光面のうちの入光面寄りの領域が相対的に暗く観察されてしまうこと並びに色味を帯びて観察されてしまうことを、比較例１に係る面光源装置に比べて抑制することができた。
【００９７】
とりわけ、表１に示す結果から、導光板の裏面の光透過領域をなす単位光学要素のアスペクト比Ｈ/Ｗが０．１以上となると、入光面からの光が裏面に配置された単位光学要素で有効に屈折して、出光面のうちの入光面寄りの領域の明暗差及び色味を有効に目立たなくさせることができることが知見された。
【００９８】
ただし、単位光学要素のアスペクト比Ｈ/Ｗが０．６以上となると、導光板を繰り返し賦型したときに、安定した品質を発揮することが困難となった。このため、実施例４に係る面光源装置では、出光面のうちの入光面寄りの領域の明暗差及び色味を有効に目立たなくさせることができるものの、コストの評価としては×となった。
【符号の説明】
【００９９】
１０    表示装置
１５    液晶表示パネル
２０    面光源装置
２１    発光面
２４    光源
２８    反射層
３０    導光板
３１    出光面
３２    裏面
３３    入光面
３４    反対面
３５    傾斜面
５０    出光側単位光学要素
６０    光学シート
７０    単位プリズム
【図１】
2016219388.tif 000004
【図２】
2016219388.tif 000005
【図３】
2016219388.tif 000006
【図４】
2016219388.tif 000007
【図５】
2016219388.tif 000008
【図６】
2016219388.tif 000009
【図７】
2016219388.tif 000010
【図８】
2016219388.tif 000011
【図９】
2016219388.tif 000012